(57)【特許請求の範囲】
【請求項１】
１つ以上のボイラからなる第１ボイラ群と、１つ以上のボイラからなる第２ボイラ群と、からなるボイラ群と、
前記ボイラ群において生成された蒸気を集合させる蒸気ヘッダと、
前記蒸気ヘッダの内部の蒸気圧であるヘッダ圧力値を測定する蒸気圧測定手段と、
前記第２ボイラ群の燃焼状態を制御する制御部と、
を備えるボイラシステムであって、
前記第１ボイラ群に属するボイラは、それぞれ
前記ボイラの缶体内の圧力値である缶内圧力値を測定する缶内圧力測定手段と、
前記缶内圧力値が予め設定された第１目標圧力値と一致するように、前記ボイラの燃焼状態をＰＩ制御又はＰＩＤ制御するローカル制御部と、を備え、
前記制御部は、
前記蒸気圧測定手段により測定されるヘッダ圧力値が、予め設定された、前記第１目標圧力値より小さな値となる第２目標圧力値と一致するように、ＰＩアルゴリズム又はＰＩＤアルゴリズムにより必要蒸気量を算出する必要蒸気量算出部と、
前記必要蒸気量算出部により算出された必要蒸気量が予め設定された第１蒸気量を下回る場合、前記第１蒸気量を出力し、前記必要蒸気量が前記第１蒸気量以上となる場合、前記必要蒸気量を出力するように、前記第２ボイラ群の燃焼状態を制御する出力制御部と、を備えるボイラシステム。
【請求項２】
前記第２目標圧力値は、前記第１目標圧力値に、蒸気管における圧力損失を加味して算出されるヘッダ圧力値よりも小さな値となるように設定される、請求項１に記載のボイラシステム。
【請求項３】
前記出力制御部は、前記第１蒸気量を出力する場合、前記第２ボイラ群における予め設定される台数のボイラを予め設定された固定燃焼率で燃焼させる、請求項１又は請求項２に記載のボイラシステム。
【請求項４】
前記固定燃焼率は、前記燃焼させるボイラの燃焼効率の最も高い燃焼率である、請求項３に記載のボイラシステム。
【請求項５】
前記固定燃焼率は、前記燃焼させるボイラの最小燃焼率である、請求項３に記載のボイラシステム。
【発明の詳細な説明】
【技術分野】
【０００１】
本発明は、１つ以上のボイラを有する第１ボイラ群と第１ボイラ群に属さない１つ以上のボイラを有する第２ボイラ群とからなる、複数のボイラ群が混在するボイラシステムに関する。
【背景技術】
【０００２】
複数のボイラからなるボイラ群において生成された蒸気を蒸気ヘッダに集合し、この蒸気ヘッダから負荷機器に対して蒸気を供給するボイラシステムにおいて、ボイラ群を２種類に大別し、これらを制御するボイラシステムが知られている。例えば、特許文献１には、ボイラ群をボイラ効率が高くなる燃焼率で燃焼させるエコ運転ボイラ群と、要求負荷の変動に応じて燃焼率を変更して燃焼させる負荷追従ボイラ群とに大別することが記載されている。
【０００３】
従来、２種類のボイラ群が、それぞれ個別に目標圧力値制御されている場合、通常は、片方のボイラ群を主として燃焼させ（以下、「第１ボイラ群」ともいう）、もう片方のボイラ群を、不足分を補うように燃焼させる（以下、「第２ボイラ群」ともいう）方法が一般的である。
【０００４】
例えば、第１ボイラ群に属する各ボイラは、それぞれボイラの缶体内の圧力値である缶内圧力値（以下、「缶内圧力値」ともいう）が予め設定された第１目標圧力値と一致するように、また、第２ボイラ群に属するボイラは、複数のボイラにおいて生成された蒸気が集合する蒸気ヘッダの内部の蒸気圧力値（以下、「ヘッダ圧力値」ともいう）が予め設定された第２目標圧力値になるように、２つのボイラ群が個別に目標値制御される場合、第１ボイラ群のボイラの缶内圧力値の第１目標圧力値を高く設定し、第２ボイラ群の第２目標圧力値を、第１ボイラ群の第１目標圧力値よりも小さな値となるように、低く設定することが好ましい。
【０００５】
そうすることで、全体負荷が低い場合には、第１ボイラ群の各ボイラの缶内圧力が予め設定された第１目標圧力値近辺で安定することになり、ヘッダ圧力値は、第１ボイラ群の各ボイラの第１目標圧力値に蒸気管における圧力損失を加味して算出される圧力値の近辺で安定することになる。
そうすると、第２ボイラ群のヘッダ圧力値は、自身に予め設定されている目標圧力値を大きく上回るため、第２ボイラ群の燃焼量は基本的にゼロとなる。
【先行技術文献】
【特許文献】
【０００６】
【特許文献１】特開２０１４−９８５２９号公報
【発明の概要】
【発明が解決しようとする課題】
【０００７】
この場合、ボイラ群で負荷の偏りが生じることになる。その結果、例えば、全体負荷が低く、第１ボイラ群で全体必要量を賄える場合、第２ボイラ群のボイラは燃焼停止され、全台待機となる恐れがある。そうすると、低負荷によるボイラ缶体腐食の恐れが生じる。また、ボイラ群同士で負荷の偏りが大きすぎるため、ボイラ負荷不均一となる問題も生じる。
このため、第１ボイラ群の各ボイラの缶内圧力値の目標値である第１目標圧力値を高く設定し、第２ボイラ群のヘッダ圧力値の第２目標圧力値を、第１ボイラ群の第１目標圧力値よりも小さな値となるように低く設定する場合においても、第２ボイラ群のボイラをある程度燃焼させておくことが望まれる。
【０００８】
本発明は、１つ以上のボイラからなる第１ボイラ群と、１つ以上のボイラからなる第２ボイラ群とからなるボイラ群を備え、第１ボイラ群の各ボイラの缶内圧力値の目標値である第１目標圧力値を高く設定し、第２ボイラ群の目標圧力値を低く設定するボイラシステムにおいて、第２ボイラ群のボイラを燃焼し易くして、ボイラ群間の負荷不均一を是正するとともに、全体負荷が高負荷帯域にある場合を除いて、第１ボイラ群の各ボイラの缶内圧力値が第１目標圧力値になるように維持でき、ヘッダ圧力値が、第１ボイラ群の各ボイラの缶内圧力値の第１目標圧力値に、蒸気管における圧力損失を加味して算出される圧力値（ヘッダ圧力値）になるように維持できるボイラシステムを提供することを目的とする。
【課題を解決するための手段】
【０００９】
本発明は、１つ以上のボイラからなる第１ボイラ群と、１つ以上のボイラからなる第２ボイラ群と、からなるボイラ群と、前記ボイラ群において生成された蒸気を集合させる蒸気ヘッダと、前記蒸気ヘッダの内部の蒸気圧であるヘッダ圧力値を測定する蒸気圧測定手段と、前記第２ボイラ群の燃焼状態を制御する制御部と、を備えるボイラシステムであって、前記第１ボイラ群に属するボイラは、それぞれ前記ボイラの缶体内の圧力値である缶内圧力値を測定する缶内圧力測定手段と、前記缶内圧力値が予め設定された第１目標圧力値と一致するように、前記ボイラの燃焼状態をＰＩ制御又はＰＩＤ制御するローカル制御部と、を備え、前記制御部は、前記蒸気圧測定手段により測定されるヘッダ圧力値が、予め設定された、前記第１目標圧力値より小さな値となる第２目標圧力値と一致するように、ＰＩアルゴリズム又はＰＩＤアルゴリズムにより必要蒸気量を算出する必要蒸気量算出部と、前記必要蒸気量算出部により算出された必要蒸気量が予め設定された第１蒸気量を下回る場合、前記第１蒸気量を出力し、前記必要蒸気量が前記第１蒸気量以上となる場合、前記必要蒸気量を出力するように、前記第２ボイラ群の燃焼状態を制御する出力制御部と、を備えるボイラシステムに関する。
【００１０】
また、前記第２目標圧力値は、前記第１目標圧力値に、蒸気管における圧力損失を加味して算出されるヘッダ圧力値よりも小さな値となるように設定されることが好ましい。
【００１１】
また、前記出力制御部は、前記第１蒸気量を出力する場合、前記第２ボイラ群における予め設定される台数のボイラを予め設定された固定燃焼率で燃焼させることができる。
【００１２】
また、前記固定燃焼率は、前記燃焼させるボイラの燃焼効率の最も高い燃焼率（以下、「エコ運転ポイント」ともいう）とすることができる。
【００１３】
また、前記固定燃焼率は、前記燃焼させるボイラの最小燃焼率とすることができる。
【発明の効果】
【００１４】
本発明のボイラシステムによれば、１つ以上のボイラからなる第１ボイラ群と、１つ以上のボイラからなる第２ボイラ群とからなるボイラ群を備え、第１ボイラ群の各ボイラの缶内圧力値の目標値である第１目標圧力値を高く設定し、第２ボイラ群のヘッダ圧力値の目標値である第２目標圧力値を、第１ボイラ群の第１目標圧力値よりも小さな値となるボイラシステムにおいて、全体負荷が低い場合であっても、第２ボイラ群を一定量燃焼させることができるため、ボイラ群間の負荷不均一を是正するとともに、全体負荷が低く、第１ボイラ群で全体必要量を賄える場合であっても、第２ボイラ群のボイラは全台待機とならず、低負荷によるボイラ缶体腐食を防止するとともに、ボイラ群同士の負荷不均一を改善することができる。
【図面の簡単な説明】
【００１５】
【図１】本発明の第１実施形態に係るボイラシステム１の概略を示す図である。
【図２】ボイラ群の概略を示す図である。
【図３】制御部４Ｂの構成を示す機能ブロック図である。
【図４】第１実施形態に係るボイラシステム１の動作を示すフローチャートである。
【図５】第１実施形態に係るボイラシステム１の動作を示すフローチャートである。
【図６】従来の燃焼制御を実施した場合における、第１ボイラ群及び第２ボイラ群における発生蒸気量の推移を示す図である。
【図７】第１実施形態に係る燃焼制御を実施した場合における、第１ボイラ群及び第２ボイラ群における発生蒸気量の推移を示す図である。
【発明を実施するための形態】
【００１６】
〔第１実施形態〕
以下、図面を参照して、本発明の第１実施形態に係るボイラシステム１について説明する。図１は、ボイラシステム１の概略を示す図である。
【００１７】
図１に示すように、ボイラシステム１は、１台のボイラ２０Ａからなる第１ボイラ群２Ａと、２台のボイラ２０Ｂからなる第２ボイラ群２Ｂとからなるボイラ群２と、複数のボイラ２０Ａ及び２０Ｂにおいて生成された蒸気を集合させる蒸気ヘッダ６と、この蒸気ヘッダ６の内部の圧力（以下「ヘッダ圧力」ともいう）を測定する蒸気圧センサ７と、第２ボイラ群２Ｂの燃焼状態を制御する制御部４Ｂを有する台数制御装置３Ｂと、を備える。なお、蒸気圧センサ７により測定された蒸気ヘッダ６の内部の蒸気圧力値を以下、「ヘッダ圧力値ＰＶ」ともいう。
【００１８】
ボイラ群２は、蒸気使用設備１８に供給する蒸気を生成する。
蒸気ヘッダ６は、蒸気管１１を介してボイラ群２を構成する複数のボイラ２０Ａ及び２０Ｂに接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０Ａ及び２０Ｂの相互の圧力差及び圧力変動を調整し、圧力が調整された蒸気を蒸気使用設備１８に供給する。
【００１９】
第１ボイラ群２Ａのボイラ２０Ａは、例えば、炉筒煙管ボイラ等の丸ボイラ、又は貫流ボイラ等の水管ボイラから構成される。ボイラ２０Ａは、燃焼が行われるボイラ本体２１Ａと、ボイラ２０Ａの缶内圧力値を測定するボイラ圧検出部２３Ａと、ローカル制御部２２Ａと、を備える。
ボイラシステム１において、ボイラ２０Ａは、メイン出力ボイラ（ベースロードボイラ）として機能する。ボイラ２０Ａは、例えば、燃焼量が１００％の時に、相当蒸発量として１０〜３０ｔ／ｈの蒸気出力が可能に構成されている。
【００２０】
ボイラ圧検出部２３Ａは、ボイラ２０Ａの缶内圧力値ＰＶＡを測定し、測定した缶内圧力値ＰＶＡをローカル制御部２２Ａに送信する。
ローカル制御部２２Ａは、ボイラ圧検出部２３Ａにより測定される缶内圧力値ＰＶＡに基づいて、ボイラ２０Ａの燃焼状態を制御する。
【００２１】
他方、第２ボイラ群２Ｂのボイラ２０Ｂは、例えば、多管式貫流ボイラから構成される。ボイラ２０Ｂは、燃焼が行われるボイラ本体２１Ｂと、連続制御ボイラ２０Ｂの燃焼状態を制御するローカル制御部２２Ｂと、を備える。
ボイラシステム１において、ボイラ２０Ｂは、サブ出力ボイラ（ピークロードボイラ）として機能する。ボイラ２０Ｂは、例えば、燃焼量が１００％の時に、相当蒸発量が２〜３ｔ／ｈの蒸気出力が可能に構成されている。
【００２２】
蒸気圧センサ７は、信号線１３を介して、台数制御装置３Ｂに電気的に接続されている。蒸気圧センサ７は、ヘッダ圧力を測定し、測定したヘッダ圧力値ＰＶに係る信号（蒸気圧信号）を、信号線１３を介して、台数制御装置３Ｂに送信する。
【００２３】
台数制御装置３Ｂは、信号線１６Ｂを介して、複数のボイラ２０Ｂと電気的に接続されている。この台数制御装置３Ｂは、蒸気圧センサ７により測定されるヘッダ圧力値ＰＶに基づいて、それぞれボイラ２０Ｂの燃焼状態を制御する。
【００２４】
以上のように、ボイラシステム１は、第１ボイラ群２Ａ及び第２ボイラ群２Ｂで発生させた蒸気を、蒸気ヘッダ６を介して、蒸気使用設備１８に供給可能とされている。
【００２５】
具体的には、蒸気使用設備１８の需要の増大により要求負荷（蒸気消費量）が増加し、蒸気ヘッダ６に供給される蒸気量が不足すれば、ボイラ２０Ａの缶内圧力及びヘッダ圧力がそれぞれ減少することになる。一方、蒸気使用設備１８の需要の低下により要求負荷（蒸気消費量）が減少し、蒸気ヘッダ６に供給される蒸気量が過剰になれば、ボイラ２０Ａの缶内圧力及びヘッダ圧力がそれぞれ増加することになる。従って、ボイラシステム１は、ボイラ圧検出部２３Ａにより測定されたボイラ２０Ａの缶内圧力値ＰＶＡ及び蒸気圧センサ７により測定されたヘッダ圧力値ＰＶの変動に基づいて、要求負荷の変動をモニターすることができる。
より具体的には、第１ボイラ群２Ａを構成するボイラ２０Ａは、ボイラ２０Ａの缶内圧力値ＰＶＡに基づいて、蒸気使用設備１８の消費蒸気量（要求負荷）に応じて必要とされる蒸気量である必要蒸気量ＭＶＡを算出する。
第２ボイラ群２Ｂは、ヘッダ圧力値ＰＶに基づいて、蒸気使用設備１８の消費蒸気量（要求負荷）に応じて必要とされる蒸気量である必要蒸気量ＭＶを算出する。
【００２６】
ここで、第１実施形態のボイラ２０Ａ及び２０Ｂについて説明する。図２は、第１実施形態に係るボイラ群２の概略を示す図である。
第１実施形態のボイラ２０Ａ及び２０Ｂは、負荷率を連続的に変更して燃焼可能な連続制御ボイラからなる。
連続制御ボイラとは、少なくとも、最小燃焼状態Ｓ１（例えば、最大燃焼量の２０％の燃焼量における燃焼状態）から最大燃焼状態Ｓ２の範囲で、燃焼量が連続的に制御可能とされているボイラである。連続制御ボイラは、例えば、燃料をバーナに供給するバルブや、燃焼用空気を供給するバルブの開度（燃焼比）を制御することにより、燃焼量を調整するようになっている。
【００２７】
また、燃焼量を連続的に制御するとは、ローカル制御部２２Ａ及び２２Ｂにおける演算や信号がデジタル方式とされて段階的に取り扱われる場合（例えば、ボイラ２０Ａ及び２０Ｂの出力（燃焼量）が１％刻みで制御される場合）であっても、事実上連続的に出力を制御可能な場合を含む。
【００２８】
第１実施形態におけるボイラ２０Ａ及び２０Ｂにおける、燃焼停止状態Ｓ０と最小燃焼状態Ｓ１との間の燃焼状態の変更については、それぞれボイラ２０Ａ及び２０Ｂ（バーナ）の燃焼をオン／オフすることで制御される。そして、最小燃焼状態Ｓ１から最大燃焼状態Ｓ２の範囲においては、燃焼量が連続的に制御可能となっている。
より具体的には、複数のボイラ２０Ａ及び２０Ｂそれぞれには、変動可能な蒸気量の単位である単位蒸気量Ｕが設定されている。これにより、ボイラ２０Ａ及び２０Ｂは、最小燃焼状態Ｓ１から最大燃焼状態Ｓ２の範囲においては、単位蒸気量Ｕ単位で、蒸気量を変更可能となっている。
【００２９】
単位蒸気量Ｕは、ボイラ２０Ａ及び２０Ｂの最大燃焼状態Ｓ２における蒸気量（最大蒸気量）に応じて適宜設定できるが、ボイラシステム１における出力蒸気量の必要蒸気量に対する追従性を向上させる観点から、ボイラ２０の最大蒸気量の０．１％〜２０％に設定されることが好ましく、１％〜１０％に設定されることがより好ましい。
尚、出力蒸気量とは、第１ボイラ群２Ａ及び第２ボイラ群２Ｂにより出力される蒸気量を示し、この出力蒸気量は、複数のボイラ２０Ａ及び２０Ｂそれぞれから出力される蒸気量の合計値により表される。
【００３０】
また、第１実施形態では、第２ボイラ群２Ｂを構成する複数のボイラ２０Ｂには、それぞれボイラ効率が最も高くなる負荷率であるエコ運転ポイントが設定される。
【００３１】
また、複数のボイラ２０Ｂには、優先順位が設定されている。優先順位は、台数制御装置３Ｂが、燃焼指示や燃焼停止指示を行うボイラ２０Ｂを選択するために用いられる。優先順位は、例えば整数値を用いて、数値が小さいほど優先順位が高くなるよう設定することができる。
図２に示すように、例えば、第２ボイラ群２Ｂのボイラ２０Ｂの２号機及び３号機のそれぞれに「１」及び「２」の優先順位が割り当てられている場合、２号機の優先順位が最も高く、３号機の優先順位が最も低い。この優先順位は、通常の場合、後述の制御部４Ｂの制御により、所定の時間間隔（例えば、２４時間間隔）で変更される。
【００３２】
ボイラ２０Ａ及び２０Ｂは、それぞれ、燃焼が行われるボイラ本体２１Ａ及び２１Ｂと、ボイラ２０Ａ及び２０Ｂの燃焼状態を制御するローカル制御部２２Ａ及び２２Ｂと、を備える。
ローカル制御部２２Ａ及び２２Ｂは、それぞれ蒸気消費量に応じてボイラ２０Ａ及び２０Ｂの燃焼状態を変更させる。
【００３３】
具体的には、第１ボイラ群２Ａを構成するボイラ２０Ａにおいては、ローカル制御部２２Ａは、ボイラ圧検出部２３Ａにより測定される缶内圧力値ＰＶＡに基づいて、ボイラ２０Ａの燃焼状態を制御する。
【００３４】
ローカル制御部２２Ａは、ボイラ２０Ａに対して行われた指示の内容や、ボイラ２０Ａから受信した燃焼状態等の情報、ボイラ２０Ａの単位蒸気量Ｕの設定に関する情報を、ローカル記憶部（図示せず）に記憶する。
また、ローカル記憶部（図示せず）には、ボイラ圧検出部２３Ａにより測定される缶内圧力値ＰＶＡに係る設定条件として、ボイラ２０Ａの燃焼制御に係る第１目標圧力値Ｐ１を予め設定することができる。
【００３５】
他方、第２ボイラ群２Ｂを構成するボイラ２０Ｂにおいては、ローカル制御部２２Ｂは、信号線１６Ｂを介して台数制御装置３Ｂから送信される制御信号又は運転者の手動操作により入力された制御信号に基づいて、ボイラ２０Ｂの燃焼状態を制御する。また、ローカル制御部２２Ｂは、台数制御装置３Ｂで用いられる信号を、信号線１６Ｂを介して台数制御装置３Ｂに送信する。台数制御装置３Ｂで用いられる信号としては、ボイラ２０Ｂの実際の燃焼状態、及びその他のデータ等が挙げられる。
【００３６】
台数制御装置３Ｂの詳細について説明する。
台数制御装置３Ｂは、蒸気圧センサ７からの蒸気圧信号に基づいて、要求負荷に応じた各ボイラ２０Ｂの燃焼状態を算出し、各ボイラ２０Ｂ（ローカル制御部２２Ｂ）に台数制御信号を送信する。この台数制御装置３Ｂは、図１に示すように、記憶部５Ｂと制御部４Ｂとを備え、信号線１６Ｂを介して各ボイラ２０Ｂに電気的に接続されている。
【００３７】
制御部４Ｂは、信号線１６Ｂを介してボイラ２０Ｂに各種の指示を送信したり、各ボイラ２０Ｂから各種のデータを受信したりして、ボイラ２０Ｂの燃焼状態及び運転台数の制御を実行する。各ボイラ２０Ｂは、台数制御装置３Ｂから燃焼状態の変更指示の信号を受けると、その指示に従って該当するボイラ２０Ｂの燃焼量を制御する。なお、制御部４Ｂは、信号線１６Ｂを介してボイラ２０Ｂの燃焼状態に関する情報を受信する。
制御部４Ｂの詳細な構成については後述する。
【００３８】
記憶部５Ｂは、台数制御装置３Ｂ（制御部４Ｂ）の制御により、ボイラ２０Ｂに対して行われた指示の内容や、各ボイラ２０Ｂからそれぞれ受信した燃焼状態等の情報、各ボイラ２０Ｂの単位蒸気量Ｕの設定に関する情報、複数のボイラ２０Ｂの優先順位の設定に関する情報、優先順位の変更（ローテーション）に関する設定の情報等を、それぞれ記憶する。
また、記憶部５Ｂには、蒸気圧センサ７により測定されるヘッダ圧力値ＰＶに係る設定条件として、第２ボイラ群２Ｂの燃焼制御に係る第２目標圧力値Ｐ２を予め設定することができる。
さらに、記憶部５Ｂには、第２ボイラ群２Ｂに予めベースロードに該当する一定蒸気量を設定するとともに、一定蒸気量を出力するための、第２ボイラ群２Ｂのボイラ２０Ｂ毎の固定燃焼率及びボイラ台数を予め設定することができる。
そうすることで、後述するように、第２ボイラ群２Ｂの出力制御部４１Ａは、ヘッダ圧力値ＰＶに基づいて算出される必要蒸気量ＭＶｎと第１蒸気量Ｖ１を比較することにより、必要蒸気量ＭＶｎに基づいて、第２ボイラ群２Ｂの燃焼状態を制御するか、又は第１蒸気量Ｖ１を出力するように、第２ボイラ群２Ｂにおける予め設定される台数のボイラを予め設定された固定燃焼率で燃焼させるかを判断することができる。
【００３９】
以上のように構成されたボイラシステム１では、第１ボイラ群２Ａ及び第２ボイラ群２Ｂで発生させた蒸気が、蒸気ヘッダ６を介して蒸気使用設備１８に供給される。
【００４０】
次に、第１ボイラ群２Ａ及び第２ボイラ群２Ｂにおける燃焼制御についてそれぞれ説明する。
まず、第１ボイラ群２Ａの燃焼制御を実行するローカル制御部２２Ａの詳細な構成について説明する。
【００４１】
ローカル制御部２２Ａは、第１ボイラ群２Ａを構成するボイラ２０Ａから発生した蒸気の缶体内の圧力値、すなわちボイラ圧検出部２３Ａにより測定される缶内圧力値ＰＶＡが、予め設定された第１目標圧力値Ｐ１となるような制御量を算出し、この制御量に基づいてボイラ２０Ａの燃焼量を制御する。
すなわち、ローカル制御部２２Ａは、ボイラ２０Ａの缶内圧力値ＰＶＡと予めローカル記憶部に設定されたボイラ２０Ａの第１目標圧力値Ｐ１との偏差に対して、所定のＰＩアルゴリズム又はＰＩＤアルゴリズムに基づくフィードバック制御を行うことで、缶内圧力値ＰＶＡが第１目標圧力値Ｐ１となるために必要な蒸気量ＭＶＡｎを算出し、算出した蒸気量ＭＶＡｎを発生するようにボイラ２０Ａを制御する。
【００４２】
ここで、ローカル制御部２２ＡのＰＩＤアルゴリズムに基づくフィードバック制御について簡単に説明する。
ローカル制御部２２Ａは、ボイラ２０Ａのボイラ圧検出部２３Ａにより測定される缶内圧力値ＰＶＡ（フィードバック値）と予め設定されたボイラ２０Ａの缶内圧力値の第１目標圧力値Ｐ１（設定値）との偏差がゼロとなるように、現時点の必要蒸気量ＭＶＡｎを、以下に示す速度形ＰＩＤアルゴリズムにより算出する。なお、速度形ＰＩアルゴリズムについては、速度形ＰＩＤアルゴリズムにおいて、Ｄ制御出力（変化分）を省略したものであり、その説明は省略する。
【００４３】
ローカル制御部２２Ａは、ボイラ２０Ａから発生させるべき現時点の必要蒸気量ＭＶＡｎを、下記の速度形演算式（式１）により算出する。
ＭＶＡｎ＝ＭＶＡｎ−１＋ΔＭＶＡｎ            ・・・・・・・・（式１）
（式１）において、ＭＶＡｎ：現時点の必要蒸気量（今回必要蒸気量）、ＭＶＡｎ−１：前回の制御周期時点の必要蒸気量（前回必要蒸気量）、ΔＭＶＡｎ：前回から今回までの必要蒸気量変化分である。ここで、添字ｎは、繰り返し演算の演算回数（ｎ回目：ｎ＝１，２，…，Ｎの正の整数値）を示す。
速度形演算は、制御周期毎に前回から今回までの必要蒸気量変化分ΔＭＶＡｎのみを計算し、これに前回必要蒸気量ＭＶＡｎ−１を加算して、今回必要蒸気量ＭＶＡｎを計算する方法である。
これに対して、制御周期毎に今回必要蒸気量ＭＶＡｎを直接計算するＰＩＤ制御アルゴリズムは、位置形演算と言う。
【００４４】
前回から今回までの必要蒸気量変化分ΔＭＶＡｎは、下記の（式２）により算出される。
ΔＭＶＡｎ＝ΔＰＡｎ＋ΔＩＡｎ＋ΔＤＡｎ            ・・・・（式２）
（式２）において、ΔＰＡｎ：Ｐ制御出力(変化分)、ΔＩＡｎ：Ｉ制御出力(変化分)、
ΔＤＡｎ：Ｄ制御出力(変化分)であり、それぞれ下記の（式３）〜（式５）により求められる。
ΔＰＡｎ＝ＫＡＰ×(ｅＡｎ−ｅＡｎ−１)            ・・・・・・（式３）
ΔＩＡｎ＝ＫＡＰ×(Δｔ／ＴＡＩ)×ｅＡｎ            ・・・・（式４）
ΔＤＡｎ＝ＫＡＰ×(ＴＡＤ／Δｔ)×(ｅＡｎ−２ｅＡｎ−１＋ｅＡｎ−２)  （式５）
（式３）〜（式５）において、Δｔ：制御周期、ＫＡＰ：比例ゲイン、ＴＡＩ：積分時間、ＴＡＤ：微分時間、ｅＡｎ：現時点の偏差量、ｅＡｎ−１：前回の制御周期時点の偏差量、
ｅＡｎ−２：前々回の制御周期時点の偏差量である。
現時点の偏差量ｅＡｎは、第１目標圧力値Ｐ１と、ボイラ圧検出部２３Ａにより測定される缶内圧力値ＰＶＡとの差であって、下記の（式６）により求められる。
ｅＡｎ＝Ｐ１−ＰＶＡ            ・・・・・・・・・・・・（式６）
【００４５】
ローカル制御部２２Ａは、（式３）、（式４）、（式５）で算出された各出力（変化分）を、（式２）に従って合計することにより、前回から今回までの必要蒸気量変化分ΔＭＶＡｎを算出する。
そして、ローカル制御部２２Ａは、（式１）のように、前回必要蒸気量ＭＶＡｎ−１に必要蒸気量変化分ΔＭＶＡｎを加算して、今回必要蒸気量ＭＶＡｎを計算することができる。
こうすることで、ローカル制御部２２Ａは、ボイラ圧検出部２３Ａにより測定される、ボイラ２０Ａの缶内圧力値ＰＶＡが第１目標圧力値Ｐ１となるために必要な蒸気量を算出し、算出した蒸気量を発生するようにボイラ２０Ａを制御する。
以上、第１ボイラ群２Ａを構成するボイラ２０Ａを制御するローカル制御部２２Ａについて説明した。
【００４６】
次に、第２ボイラ群２Ｂの燃焼制御を実行する制御部４Ｂの詳細な構成について説明する。
図３に示すように、制御部４Ｂは、必要蒸気量算出部４１Ｂと、出力制御部４２Ｂと、を含んで構成される。
【００４７】
必要蒸気量算出部４１Ｂは、ヘッダ圧力値ＰＶと予め記憶部５Ｂに設定された第２ボイラ群２Ｂの第２目標圧力値Ｐ２との偏差に対して、所定のＰＩアルゴリズム又はＰＩＤアルゴリズムに基づき、ヘッダ圧力値ＰＶが第２目標圧力値Ｐ２となるために必要な必要蒸気量ＭＶｎを算出する。
なお、必要蒸気量算出部４１ＢのＰＩアルゴリズム又はＰＩＤアルゴリズムによる必要蒸気量の算出方法については、前述したローカル制御部２２ＡのＰＩアルゴリズム又はＰＩＤアルゴリズムによる必要蒸気量の算出方法において、第１ボイラ群２Ａを構成するボイラ２０Ａ、ボイラ圧検出部２３Ａにより測定される缶内圧力値ＰＶＡ（フィードバック値）、及び予め設定された第１目標圧力値Ｐ１（設定値）、をそれぞれ、第２ボイラ群２Ｂを構成する複数のボイラ２０Ｂ、蒸気圧センサ７により測定されるヘッダ圧力値ＰＶ、及び第２ボイラ群２Ｂの燃焼制御に係る第２目標圧力値Ｐ２に読み替えることで説明できる。
より具体的には、次のとおり算出される。
【００４８】
必要蒸気量算出部４１Ｂは、第２ボイラ群２Ｂを構成する複数のボイラ２０Ｂから発生させるべき現時点の必要蒸気量ＭＶｎを、下記の速度形演算式（式１Ｂ）により算出する。
ＭＶｎ＝ＭＶｎ−１＋ΔＭＶｎ            ・・・・・・・・（式１Ｂ）
（式１Ｂ）において、ＭＶｎ：現時点の必要蒸気量（今回必要蒸気量）、ＭＶｎ−１：前回の制御周期時点の必要蒸気量（前回必要蒸気量）、ΔＭＶｎ：前回から今回までの必要蒸気量変化分である。ここで、添字ｎは、繰り返し演算の演算回数（ｎ回目：ｎ＝１，２，…，Ｎの正の整数値）を示す。
【００４９】
前回から今回までの必要蒸気量変化分ΔＭＶｎは、下記の（式２Ｂ）により算出される。
ΔＭＶｎ＝ΔＰｎ＋ΔＩｎ＋ΔＤｎ            ・・・・・・（式２Ｂ）
（式２）において、ΔＰｎ：Ｐ制御出力(変化分)、ΔＩｎ：Ｉ制御出力(変化分)、ΔＤｎ：Ｄ制御出力(変化分)であり、それぞれ下記の（式３Ｂ）〜（式５Ｂ）により求められる。
ΔＰｎ＝ＫＰ×(ｅｎ−ｅｎ−１)            ・・・・・・・・・（式３Ｂ）
ΔＩｎ＝ＫＰ×(Δｔ／ＴＩ)×ｅｎ      ・・・・・・・・・・・・（式４Ｂ）
ΔＤｎ＝ＫＰ×(ＴＤ／Δｔ)×(ｅｎ−２ｅｎ−１＋ｅｎ−２)  ・・（式５Ｂ）
（式３）〜（式５）において、Δｔ：制御周期、ＫＰ：比例ゲイン、ＴＩ：積分時間、ＴＤ：微分時間、ｅｎ：現時点の偏差量、ｅｎ−１：前回の制御周期時点の偏差量、ｅｎ−２：前々回の制御周期時点の偏差量である。
現時点の偏差量ｅｎは、第２目標圧力値Ｐ２と、蒸気圧センサ７で測定されたヘッダ圧力値ＰＶとの差であって、下記の（式６Ｂ）により求められる。
ｅｎ＝Ｐ２−ＰＶ            ・・・・・・・・・・・・・・・・（式６Ｂ）
【００５０】
必要蒸気量算出部４１Ｂは、（式３Ｂ）、（式４Ｂ）、（式５Ｂ）で算出された各出力（変化分）を、（式２Ｂ）に従って合計することにより、前回から今回までの必要蒸気量変化分ΔＭＶｎを算出する。
そして、必要蒸気量算出部４１Ｂは、（式１Ｂ）のように、前回必要蒸気量ＭＶｎ−１に必要蒸気量変化分ΔＭＶｎを加算して、今回必要蒸気量ＭＶｎを計算することができる。
【００５１】
出力制御部４２Ｂは、必要蒸気量算出部４１Ｂにより算出される必要蒸気量ＭＶｎが予め設定された第１蒸気量Ｖ１を下回る場合、第１蒸気量Ｖ１を出力するように、第２ボイラ群２Ｂにおける予め設定される台数のボイラを予め設定された固定燃焼率で燃焼させる。
また、出力制御部４２Ｂは、必要蒸気量算出部４１Ｂにより算出された必要蒸気量ＭＶｎが予め設定された第１蒸気量Ｖ１以上となる場合、必要蒸気量算出部４１Ｂにより算出された必要蒸気量ＭＶｎを出力するように制御する。
そうすることで、全体負荷が低い場合であっても、第２ボイラ群２Ｂを一定量燃焼させることができるため、ボイラ缶体腐食を防止するとともに、第１ボイラ群２Ａ及び第２ボイラ群２Ｂにおける負荷不均一を改善することができる。
【００５２】
なお、固定燃焼率は、第２ボイラ群２Ｂにおける燃焼させるボイラ２０Ｂの燃焼効率の最も高い燃焼率とすることが好ましい。また、固定燃焼率は、第２ボイラ群２Ｂにおける燃焼させるボイラ２０Ｂの最小燃焼率とすることもできる。
前述したように、記憶部５Ｂに、第２ボイラ群２Ｂが、ベースロードに該当する第１蒸気量Ｖ１を出力するように、第２ボイラ群２Ｂのボイラ２０Ｂ毎に、固定燃焼率を予め設定することができる。
【００５３】
＜出力制御部４２Ｂによる出力蒸気量制御＞
制御部４Ｂは、必要蒸気量算出部４１Ｂにより算出された必要蒸気量ＭＶｎが予め設定されたベースロードとなる第１蒸気量Ｖ１を下回る場合、出力制御部４２Ｂにより第１蒸気量Ｖ１を出力するように、第２ボイラ群２Ｂにおける予め設定される台数のボイラを予め設定された固定燃焼率で燃焼させる。
また、必要蒸気量算出部４１Ｂにより算出された必要蒸気量ＭＶｎが予め設定されたベースロードとなる第１蒸気量Ｖ１以上となる場合、制御部４Ｂは、出力制御部４２Ｂにより、必要蒸気量算出部４１Ｂにより算出された必要蒸気量ＭＶｎを出力するように制御する。
【００５４】
そうすることで第２ボイラ群２Ｂにおける負荷が低い場合（第２ボイラ群２Ｂにおいてヘッダ圧力値ＰＶに基づいて算出された必要蒸気量ＭＶｎが予め設定されたベースロードに該当する第１蒸気量Ｖ１を下回る場合）であっても第２ボイラ群２Ｂに割り当てたベースロード分のボイラを予め設定された第１蒸気量Ｖ１に対応する固定燃焼率で固定燃焼させることができるため、ボイラ缶体腐食を防止するとともに、第１ボイラ群２Ａ及び第２ボイラ群２Ｂにおける負荷不均一を改善することができる。
【００５５】
逆に、全体負荷が上昇し、要求負荷に対して第１ボイラ群２Ａだけで賄えなくなり、第２ボイラ群２Ｂにおける負荷が高くなった場合（必要蒸気量算出部４１Ｂにより算出された必要蒸気量ＭＶｎが予め設定されたベースロードに該当する一定蒸気量以上となる場合）には、固定燃焼率で燃焼させる固定燃焼ボイラを含む第２ボイラ群２Ｂに属するすべてのボイラで負荷追従を行うことができる。
【００５６】
次に、第１実施形態のボイラシステム１の処理の流れについて、図４及び図５を参照して説明する。図４及び図５は、それぞれ、第１ボイラ群２Ａを構成するボイラ２０Ａ及び第２ボイラ群２Ｂの処理の流れを示すフローチャートである。
まず、図４を参照して、第１ボイラ群２Ａを構成するボイラ２０Ａにおける処理の流れを説明する。
【００５７】
処理の前準備として、第１ボイラ群２Ａを構成するボイラ２０Ａに対して缶体内の圧力値である缶内圧力値の第１目標圧力値Ｐ１の設定を行い、ローカル記憶部に記憶しておく（図示せず）。
【００５８】
ステップＳＴ１において、ローカル制御部２２Ａによりボイラ２０Ａの燃焼制御を開始する。
【００５９】
ステップＳＴ２において、ローカル制御部２２Ａにより、制御周期毎にボイラ２０Ａの燃焼状態を制御する。
より具体的には、ローカル制御部２２Ａは、制御周期毎に、ボイラ圧検出部２３Ａにより測定されるボイラ２０Ａの缶内圧力値ＰＶＡ（フィードバック値）と、予めローカル記憶部に設定されたボイラ２０Ａの缶内圧力値の第１目標圧力値Ｐ１との偏差に対して、所定のＰＩアルゴリズム又はＰＩＤアルゴリズムに基づくフィードバック制御を行うことで、ボイラ２０Ａの缶内圧力値ＰＶＡが第１目標圧力値Ｐ１となるために必要な蒸気量ＭＶＡｎを算出し、算出した蒸気量ＭＶＡｎを発生するようにボイラ２０Ａを制御する。
【００６０】
ローカル制御部２２Ａは、制御周期毎に、ステップＳＴ２を繰り返す。
【００６１】
次に、図５を参照して、第２ボイラ群２Ｂにおける処理の流れを説明する。
処理の前準備として、第２ボイラ群２Ｂに対して第２目標圧力値Ｐ２を設定し、記憶部５Ｂに記憶しておく。また、第２ボイラ群２Ｂに予めベースロードに該当する一定蒸気量（第１蒸気量Ｖ１）を設定するとともに、ベースロードに該当する第１蒸気量Ｖ１を出力するように、第２ボイラ群２Ｂのボイラ２０Ｂ毎の固定燃焼率及びボイラ台数を設定し、記憶部５Ｂに記憶しておく。なお、第１蒸気量Ｖ１と固定燃焼率との関係について、第１蒸気量Ｖ１は、全台を燃焼させるのではなく、任意の台数を燃焼させることで生成されるように設定することができる。（以上、図示せず）。
【００６２】
ステップＳＴ１１において、台数制御装置３Ｂにより第２ボイラ群２Ｂの燃焼制御を開始する。
【００６３】
ステップＳＴ１２において、制御部４Ｂは、制御周期毎に、必要蒸気量算出部４１Ｂにより算出された必要蒸気量ＭＶｎが予め設定されたベースロードとなる第１蒸気量Ｖ１を下回るか否かを判定する。必要蒸気量ＭＶｎが第１蒸気量Ｖ１を下回る場合（Ｙｅｓ）、ステップＳＴ１３に移る。必要蒸気量ＭＶｎが第１蒸気量Ｖ１以上の場合（Ｎｏ）、ステップＳＴ１４に移る。
【００６４】
ステップＳＴ１３において、出力制御部４２Ｂは、第１蒸気量Ｖ１を出力するように、第２ボイラ群２Ｂにおける予め設定される台数のボイラを予め設定された固定燃焼率で燃焼させる。
【００６５】
その後、ステップＳＴ１２に移る。
【００６６】
ステップＳＴ１４において、制御部４Ｂ（必要蒸気量算出部４１Ｂ）は、必要蒸気量算出部４１Ｂにより、制御周期毎に、ヘッダ圧力値ＰＶと予め記憶部５Ｂに設定された第２ボイラ群２Ｂの第２目標圧力値Ｐ２との偏差（Ｐ２−ＰＶ）に対して、所定のＰＩアルゴリズム又はＰＩＤアルゴリズムに基づくフィードバック制御を行うことで、ヘッダ圧力値ＰＶが第２目標圧力値Ｐ２となるために必要蒸気量ＭＶｎを算出し、制御部４Ｂ（出力制御部４２Ｂ）は、算出した必要蒸気量ＭＶｎを発生するように第２ボイラ群２Ｂを構成するボイラ２０Ｂを制御する。
【００６７】
その後、ステップＳＴ１２に移る。
【００６８】
次に、図６及び図７を参照して、第１ボイラ群２Ａを構成するボイラ２０Ａの缶内圧力値ＰＶＡの第１目標圧力値Ｐ１を高く設定し、第２ボイラ群２Ｂの燃焼制御に係る第２目標圧力値Ｐ２を低く設定して、所定のＰＩアルゴリズム又はＰＩＤアルゴリズムに基づくフィードバック制御を行う場合（以下「従来の燃焼制御」という）と比較しながら、第１実施形態に係る燃焼制御を実施した場合の動作を説明する。
なお、ヘッダ圧力値の目標値となる第２目標圧力値Ｐ２は、第１ボイラ群２Ａを構成するボイラ２０Ａの缶内圧力値ＰＶＡの目標値となる第１目標圧力値Ｐ１に、蒸気管１１における圧力損失αを加味して算出されるヘッダ圧力値（Ｐ１−α）よりも小さな値となるように設定される。
【００６９】
ここで、図６は、「従来の燃焼制御」を行った場合のヘッダ圧力の推移を示す図である。これに対して、図７は、本発明の第１実施形態に係る燃焼制御を実施した場合のヘッダ圧力の推移を示す図である。
ここで、図６の（Ｂ）〜（Ｄ）及び図７の（Ｂ）〜（Ｄ）ともに、縦軸を蒸気量、横軸を時間としている。従って、図６及び図７における第１ボイラ群発生蒸気量は、ボイラ２０Ａの発生蒸気量となる。また、第１ボイラ群２Ａを構成するボイラ２０ＡのＭＡＸとは、ボイラ２０Ａの最大出力蒸気量となる。
図６及び図７における第２ボイラ群発生蒸気量は、第２ボイラ群２Ｂを構成するボイラ２０Ｂの発生蒸気量となる。また、第２ボイラ群２Ｂを構成するボイラ２０ＢのＭＡＸとは、第２ボイラ群２Ｂを構成するボイラ２０Ｂの最大出力蒸気量となる。についても同様である。
【００７０】
＜従来の燃焼制御＞
従来の燃焼制御を実施した場合、図６に示すように、全体負荷が低い場合（ｔ０〜ｔ１）、第１ボイラ群２Ａを構成するボイラ２０Ａの缶内圧力値ＰＶＡが第１目標圧力値Ｐ１となるために必要な蒸気量を発生する。このとき、ヘッダ圧力値は、第１目標圧力値Ｐ１に、蒸気管１１における圧力損失αを加味して算出されるヘッダ圧力値よりも小さな値（Ｐ１−α）となる。この間第２ボイラ群２Ｂは全台待機状態となる。
その後、全体負荷が上昇しても、ｔ２までの間、ボイラ２０Ａは、缶内圧力値ＰＶＡが第１目標圧力値Ｐ１となるために必要な蒸気量を自身の出力蒸気量で賄うことができる。この間、ヘッダ圧力値は（Ｐ１−α）を維持している。このため、第２ボイラ群２Ｂは全台待機状態となる。
時刻ｔ２以降、缶内圧力値ＰＶＡが第１目標圧力値Ｐ１となるために必要な蒸気量がボイラ２０Ａの出力可能な最大蒸気量Ｘを上回ると、ボイラ２０Ａの缶内圧力値ＰＶＡが低下し、それとともにヘッダ圧力値ＰＶが低下するが、ヘッダ圧力値ＰＶが閾値Ｐ以下になる時点（ｔ３）まで、第２ボイラ群２Ｂは全台待機状態となる。
ｔ３以降、依然として、使用蒸気量がボイラ２０Ａの出力可能な最大蒸気量Ｘを上回ることから、ボイラ２０Ａは、自身の出力可能な最大蒸気量Ｘを出力し、第２ボイラ群２Ｂは、使用蒸気量の不足分を補う形で、ヘッダ圧力値ＰＶが第２目標圧力値Ｐ２となるために必要な蒸気量を算出し、算出した蒸気量を発生する。
このように、従来の燃焼制御を実施した場合、使用蒸気量がボイラ２０Ａの出力可能な最大蒸気量Ｘを上回るまで、第２ボイラ群２Ｂは全台待機状態となる。
【００７１】
＜第１実施形態に係る燃焼制御＞
これに対して、第１実施形態に係る燃焼制御を実施した場合、図７に示すように、全体負荷が低い場合（ｔ０〜ｔ１）、第１ボイラ群２Ａを構成するボイラ２０Ａは缶内圧力値ＰＶＡが第１目標圧力値Ｐ１を保つために必要な蒸気量を発生する。このとき、ヘッダ圧力値は、第１目標圧力値Ｐ１に、蒸気管１１における圧力損失αを加味して算出されるヘッダ圧力値よりも小さな値（Ｐ１−α）となる。
他方第２ボイラ群２Ｂは、必要蒸気量算出部４１Ｂにより算出される必要蒸気量がゼロとなり、予め設定された第１蒸気量Ｖ１を下回ることから、出力制御部４２Ｂにより第１蒸気量Ｖ１を出力する。
その後、全体負荷が上昇して、使用蒸気量が増加しても、ｔ２〜ｔ３までの間、ボイラ２０Ａは、缶内圧力値ＰＶＡが第１目標圧力値Ｐ１を保つために必要な蒸気量を自身の出力蒸気量で賄うことができる。この間、ヘッダ圧力値は（Ｐ１−α）を維持している。このため、第２ボイラ群２Ｂは依然として必要蒸気量算出部４１Ｂにより算出される必要蒸気量がゼロとなり、予め設定された第１蒸気量Ｖ１を下回ることから、出力制御部４２Ｂにより第１蒸気量Ｖ１を出力する。
ｔ２以降、缶内圧力値ＰＶＡが第１目標圧力値Ｐ１となるために必要な蒸気量がボイラ２０Ａの出力可能な最大蒸気量Ｘを上回ると、缶内圧力値ＰＶＡが低下し、それとともにヘッダ圧力値ＰＶが低下するが、第２ボイラ群２Ｂは、ヘッダ圧力値ＰＶが第２目標圧力値Ｐ２の近傍値となる時点（ｔ３）まで、必要蒸気量算出部４１Ｂにより算出される必要蒸気量が、予め設定された第１蒸気量Ｖ１を下回り、出力制御部４２Ｂにより依然として第１蒸気量Ｖ１を出力する。
以降、依然として、使用蒸気量がボイラ２０Ａの出力可能な最大蒸気量Ｘを上回ることから、ボイラ２０Ａは自身の出力可能な最大蒸気量Ｘを出力し、第２ボイラ群２Ｂは、必要蒸気量算出部４１Ｂにより算出される必要蒸気量が第１蒸気量Ｖ１以上となる時点以降において、使用蒸気量の不足分を補う形で、ヘッダ圧力値ＰＶが第２目標圧力値Ｐ２となるために必要な蒸気量を発生することとなる。
このように、第１実施形態に係る燃焼制御を実施した場合、使用蒸気量に関係なく第２ボイラ群２Ｂは、一定量以上、燃焼させることができる。
【００７２】
第１実施形態のボイラシステム１によれば、例えば、次の効果が奏される。
第１実施形態のボイラシステム１においては、第１ボイラ群２Ａを構成するボイラ２０Ａは、缶内圧力値ＰＶＡが予め設定された第１目標圧力値Ｐ１と一致するように、その燃焼状態をローカル制御部２２ＡによりＰＩ制御又はＰＩＤ制御される。他方第２ボイラ群２Ｂは、ヘッダ圧力値ＰＶが予め設定された、第２目標圧力値Ｐ２（ここで、第２目標圧力値Ｐ２は、第１ボイラ群２Ａを構成するボイラ２０Ａの缶内圧力値ＰＶＡの目標値となる第１目標圧力値Ｐ１に、蒸気管１１における圧力損失を加味して算出されるヘッダ圧力値よりも小さな値となるように設定される）と一致するように、ＰＩアルゴリズム又はＰＩＤアルゴリズムにより必要蒸気量ＭＶｎを算出する必要蒸気量算出部４１Ｂにより算出された必要蒸気量ＭＶｎに基づいて、第２ボイラ群２Ｂの燃焼状態を制御する出力制御部４２Ｂと、を備え、出力制御部４２Ｂは、必要蒸気量算出部４１Ｂにより算出された必要蒸気量ＭＶｎが予め設定された第１蒸気量Ｖ１を下回る場合、第１蒸気量Ｖ１を出力するように、第２ボイラ群２Ｂにおける予め設定される台数のボイラを予め設定された固定燃焼率で燃焼させ、必要蒸気量が第１蒸気量Ｖ１以上となる場合、必要蒸気量ＭＶｎを出力するように、第２ボイラ群２Ｂの燃焼状態を制御する。
【００７３】
そのため、第１実施形態によれば、使用蒸気量にかかわらず第２ボイラ群２Ｂに対して所定量以上の燃焼量を確保することができるため、ボイラ缶体腐食を防止するとともに、ボイラ群同士の負荷不均一を改善することができる。
【００７４】
また、第１実施形態のボイラシステム１においては、予め設定される固定燃焼率は第２ボイラ群２Ｂにおける燃焼させるボイラ２０Ｂの燃焼効率の最も高い燃焼率（エコ運転ポイント）とすることができる。
【００７５】
そのため、第１実施形態によれば、全体負荷が低い場合に、第２ボイラ群２Ｂを効率よく燃焼させることができる。
【００７６】
また、第１実施形態のボイラシステム１においては、予め設定される固定燃焼率は第２ボイラ群２Ｂにおける燃焼させるボイラ２０Ｂの最小燃焼率とすることができる。
【００７７】
そのため、第１実施形態によれば、全体負荷が上昇し、第１ボイラ群２Ａを構成するボイラ２０Ａの出力蒸気量の不足分を第２ボイラ群２Ｂが補う場合に、負荷追従性に優れたボイラシステム１を提供することができる。
【００７８】
以上、本発明のボイラシステムの好ましい一実施形態につき説明したが、本発明は、上述の実施形態に制限されるものではなく、適宜変更が可能である。
例えば、第１実施形態では、本発明を、１台のボイラ２０Ａからなる第１ボイラ群２Ａ及び２台のボイラ２０Ｂからなる第２ボイラ群２Ｂからなるボイラ群２を備えるボイラシステム１に適用したが、これに限らない。
すなわち、本発明を２台以上のボイラからなる第１ボイラ群であって、第１ボイラ群に属するボイラは、それぞれボイラの缶体内の圧力値である缶内圧力値を測定するボイラ圧検出部と缶内圧力値が予め設定された第１目標圧力値Ｐ１と一致するように、ボイラの燃焼状態をＰＩ制御又はＰＩＤ制御するローカル制御部を備えるものとしてもよい。
同様に、本発明を、第２ボイラ群が３台以上のボイラ２０を備えるボイラシステムに適用してもよく、また、第２ボイラ群が１台のボイラ２０からなるボイラシステムに適用してもよい。
【００７９】
また、第１実施形態では、ボイラ２０Ａ及び２０Ｂのそれぞれのボイラ容量について特に限定していない。ボイラ２０Ａ及び２０Ｂ毎にその最小燃焼量、単位蒸気量、最大燃焼量としての燃焼能力が、同じ場合でも異なる場合でも適用可能である。
【００８０】
また、第１実施形態では、第１ボイラ群２Ａを構成するボイラ２０Ａ及び第２ボイラ群２ＢのＰＩ（又はＰＩＤ）制御アルゴリズムとして、速度形ＰＩ（又は速度形ＰＩＤ）アルゴリズムによるＰＩ又はＰＩＤ制御を適用したが、速度形ＰＩ（又は速度形ＰＩＤ）アルゴリズムに限定されない。制御周期毎に今回必要蒸気量ＭＶｎを直接計算する位置形ＰＩ（又は位置形ＰＩＤ）アルゴリズムによるＰＩ又はＰＩＤ制御を適用してもよい。
【００８１】
また、第１実施形態では、ボイラ２０Ａ及び２０Ｂにおける、燃焼停止状態Ｓ０と最小燃焼状態Ｓ１との間の燃焼状態の変更を、それぞれボイラ２０Ａ及び２０Ｂの燃焼をオン／オフすることで制御し、最小燃焼状態Ｓ１から最大燃焼状態Ｓ２の範囲においては燃焼量を連続的に制御可能な連続制御ボイラ２０Ａ及び２０Ｂにより構成したが、これに限らない。すなわち、ボイラを、燃焼停止状態から最大燃焼状態の範囲すべてにおいて、燃焼量を連続的に制御可能な連続制御ボイラにより構成してもよい。
【符号の説明】
【００８２】
１  ボイラシステム
２  ボイラ群
２Ａ  第１ボイラ群
２Ｂ  第２ボイラ群
２０  ボイラ
２０Ａ  連続制御ボイラ
２２Ａ  ローカル制御部
２３Ａ  ボイラ圧検出部
２０Ｂ  連続制御ボイラ
３Ｂ  台数制御装置
４Ｂ  制御部
４１Ｂ  必要蒸気量算出部
４２Ｂ  出力制御部
５Ｂ  記憶部
６  蒸気ヘッダ（蒸気集合部）
７  蒸気圧センサ（蒸気圧測定手段）
１８  蒸気使用設備（負荷機器）
【図１】
0006528500.tif 000002
【図２】
0006528500.tif 000003
【図３】
0006528500.tif 000004
【図４】
0006528500.tif 000005
【図５】
0006528500.tif 000006
【図６】
0006528500.tif 000007
【図７】
0006528500.tif 000008